(57)【要約】【課題】静電気放電による通信障害から復旧させることができる接続回路を提供する。【解決手段】接続回路は、コネクタと、チップセットと、スイッチとを備える。前記コネクタは、外部デバイスと接続する。前記チップセットは、前記コネクタとデータラインを介して接続され、シリアルインタフェースによる通信を制御する。前記スイッチは、搭載される情報処理装置の電源がＯＦＦ状態であることを条件に、前記チップセットと、前記コネクタとの間の前記データラインの接続を切断する。【選択図】図１
2019040446.tif 000002
【特許請求の範囲】
【請求項１】
外部デバイスと接続するコネクタと、
前記コネクタとデータラインを介して接続され、シリアルインタフェースによる通信を制御するチップセットと、
搭載される情報処理装置の電源がＯＦＦ状態であることを条件に、前記チップセットと、前記コネクタとの間の前記データラインの接続を切断するスイッチと、
を備える接続回路。
【請求項２】
前記チップセットは、ＵＳＢ（Universal  Serial  Bus）インタフェースによる通信を制御する、
請求項１に記載の接続回路。
【請求項３】
前記スイッチは、ＦＥＴ（Field  Effect  Transistor）である、
請求項１又は２に記載の接続回路。
【請求項４】
前記コネクタは、前記情報処理装置の電源がＯＮ状態であることを条件に、前記外部デバイスが使用する電力を供給する、
請求項１乃至３の何れか一項に記載の接続回路。
【請求項５】
前記スイッチは、差動伝送方式の前記データラインの両方を切断する、
請求項１乃至４の何れか一項に記載の接続回路。
【発明の詳細な説明】
【技術分野】
【０００１】
本発明の実施形態は、接続回路に関する。
【背景技術】
【０００２】
従来、パーソナルコンピュータやＰＯＳ（Point  Of  Sales）端末等の情報処理装置は、ＵＳＢ（Universal  Serial  Bus）等のインタフェースを介して周辺機器と接続されている。ＵＳＢ規格を用いた通信は、チップセットにより制御されている。
【０００３】
ところで、上記したチップセットは、静電気放電が発生した場合にＵＳＢのデータライン上に、意図しない電流を流出させてしまうことがある。この場合、チップセットは、ＵＳＢのデータラインを通信内容に関わらずＨｉｇｈレベルにしてしまうため正常な通信を行うことができなくなってしまう。
【発明の概要】
【発明が解決しようとする課題】
【０００４】
本発明が解決しようとする課題は、静電気放電による通信障害から復旧させることができる接続回路を提供することである。
【課題を解決するための手段】
【０００５】
実施形態の接続回路は、コネクタと、チップセットと、スイッチとを備える。前記コネクタは、外部デバイスと接続する。前記チップセットは、前記コネクタとデータラインを介して接続され、シリアルインタフェースによる通信を制御する。前記スイッチは、搭載される情報処理装置の電源がＯＦＦ状態であることを条件に、前記チップセットと、前記コネクタとの間の前記データラインの接続を切断する。
【図面の簡単な説明】
【０００６】
【図１】図１は、本実施形態に係るＰＯＳ端末にＵＳＢデバイスが接続された状態の電子回路基板の構成の一例を示すブロック図である。
【図２】図２は、本実施形態に係る電子回路基板の正常時の接続処理の概要を示すタイミングチャートである。
【図３】図３は、従来技術においてチップセットから電流流出時の接続処理の概要を示すタイミングチャートである。
【図４】図４は、本実施形態に係る電子回路基板においてチップセットから電流流出時の接続処理の概要を示すタイミングチャートである。
【発明を実施するための形態】
【０００７】
以下、添付図面を参照して、接続回路の実施形態を詳細に説明する。なお、以下に説明する実施形態は、接続回路の一実施形態であって、その構成や仕様等を限定するものではない。本実施形態の接続回路は、ＰＯＳ（Point  Of  Sales）端末等の情報処理装置を制御する電子回路基板への適用例である。
【０００８】
図１は、本実施形態に係るＰＯＳ端末１にＵＳＢ（Universal  Serial  Bus）デバイス２が接続された状態の電子回路基板１０の構成の一例を示すブロック図である。ＰＯＳ端末１は、販売対象の商品を登録する販売登録処理や、販売登録処理により登録した商品の会計を実行する会計処理等を実行する情報処理装置である。ＵＳＢデバイス２は、ＵＳＢインタフェースを介して接続されたＰＯＳ端末１と通信する周辺機器である。また、ＵＳＢデバイス２は、ＡＣアダプタやバッテリー等から電力の供給を受けるセルフパワーデバイスではなく、ＵＳＢを介して電力の供給を受けるバスパワーデバイスである。例えば、ＵＳＢデバイス２は、レシートを印刷するレシートプリンタや、商品に付されたコードシンボルを読み取るスキャナ装置等である。
【０００９】
ＰＯＳ端末１は、筐体の内部にマザーボード等の電子回路基板１０を備えている。電子回路基板１０は、ＣＰＵ（Central  Processing  Unit）１１０と、ＲＯＭ（Read  Only  Memory）１２０と、ＲＡＭ（Random  Access  Memory）１３０と、チップセット１４０と、電源回路１５０と、アナログスイッチ１６０と、ＵＳＢコネクタ１７０とを備える。
【００１０】
ＣＰＵ１１０は、ＰＯＳ端末１の動作を統括的に制御する。ＲＯＭ１２０は、各種プログラムやデータを記憶する記憶媒体である。ＲＡＭ１３０は、各種プログラムや各種データを一時的に記憶する記憶媒体である。そして、ＣＰＵ１１０は、ＲＡＭ１３０をワークエリア（作業領域）としてＲＯＭ１２０等に格納されたプログラムを実行する。
【００１１】
チップセット１４０は、ＣＰＵ１１０からの要求に応じて、シリアルインタフェースによる外部デバイスとの通信を制御する集積回路である。例えば、チップセット１４０は、ＵＳＢ規格による通信を制御する。なお、チップセット１４０は、一つの集積回路に限らず、複数の集積回路により構成されていてもよい。また、チップセット１４０には、データの伝送線路であるデータラインが接続されている。チップセット１４０は、ＵＳＢが差動伝送方式のため、ＵＳＢ規格におけるＤ＋信号とＤ−信号とを伝送するデータラインを備えている。
【００１２】
Ｄ＋信号のデータラインは、チップセット１４０の内部で、グランドに接続されたプルダウン抵抗１４１と接続されている。プルダウン抵抗１４１は、例えば１５キロオームの抵抗値を有している。また、Ｄ−信号のデータラインは、チップセット１４０の内部で、グランドに接続されたプルダウン抵抗１４２と接続されている。プルダウン抵抗１４２は、例えば１５キロオームの抵抗値を有している。なお、チップセット１４０からアナログスイッチ１６０までの間のＤ＋信号のデータラインを、ＳｉｇｎａｌＡ＋信号と呼ぶ。また、チップセット１４０からアナログスイッチ１６０までの間のＤ−信号のデータラインを、ＳｉｇｎａｌＡ−信号と呼ぶ。
【００１３】
電源回路１５０は、ＡＣ（Alternating  Current）電源からＡＣアダプタ等を介して入力された電力をＰＯＳ端末１の各部に供給する回路である。また、電源回路１５０は、ＰＯＳ端末１の電源がＯＮ状態の場合、つまりＰＯＳ端末１が起動中の場合に、ＰＯＳ端末１がＯＮ状態であることを示す電源信号を出力する。さらに、電源回路１５０は、ＰＯＳ端末１の電源がＯＮ状態の場合、つまりＰＯＳ端末１が起動中の場合に、ＶＢＵＳ信号によりＵＳＢデバイス２が使用する電力を供給する。ここで、ＶＢＵＳ信号は、ＵＳＢデバイス２に電力を供給する信号である。
【００１４】
一方、電源回路１５０は、ＰＯＳ端末１の電源がＯＦＦ状態の場合、つまりＰＯＳ端末１が停止中の場合に、ＯＦＦ状態であることを示す電源信号を出力する。さらに、電源回路１５０は、ＰＯＳ端末１の電源がＯＦＦ状態の場合、つまりＰＯＳ端末１が停止中の場合に、ＵＳＢデバイス２への電力の供給を停止する。なお、ＰＯＳ端末１が停止とは、ＰＯＳ端末１がシャットダウンされた状態であり、コンセント等を介して電力が供給されている状態である。
【００１５】
アナログスイッチ１６０は、所定の条件が満たされた場合に、チップセット１４０とＵＳＢコネクタ１７０との接続の開閉を切り替える回路である。例えば、アナログスイッチ１６０は、ＦＥＴ（Field  Effect  Transistor）等のスイッチング素子である。例えば、アナログスイッチ１６０は、電子回路基板１０を搭載しているＰＯＳ端末１の起動状態に基づいて、接続の開閉を切り替える。さらに詳しくは、アナログスイッチ１６０は、電源信号がＯＮ状態を示している場合に、チップセット１４０とＵＳＢコネクタ１７０とを接続する。一方、アナログスイッチ１６０は、電源信号がＯＦＦ状態を示している場合に、チップセット１４０とＵＳＢコネクタ１７０とを接続を切断する。なお、アナログスイッチ１６０は、ＦＥＴ等の電子式のスイッチに限らず、機械式のスイッチであってもよい。
【００１６】
ＵＳＢコネクタ１７０は、ＰＯＳ端末１とＵＳＢデバイス２と接続するインタフェースである。ＵＳＢコネクタ１７０は、ＳｉｇｎａｌＡ＋信号を伝送するデータラインと、ＳｉｇｎａｌＡ−信号を伝送するデータラインと、ＶＢＵＳ信号によりＵＳＢデバイス２に電力を供給する電源ラインと接続している。ＳｉｇｎａｌＡ＋信号を伝送するデータラインと、ＳｉｇｎａｌＡ−信号を伝送するデータラインとは、アナログスイッチ１６０を介して、チップセット１４０に接続されている。また、ＵＳＢデバイス２に電力を供給するＶＢＵＳ信号の電源ラインは、電源回路１５０に接続されている。
【００１７】
ＵＳＢコネクタ１７０は、ＵＳＢデバイス２と接続した場合に、ＳｉｇｎａｌＡ＋信号を伝送するデータラインと、ＵＳＢデバイス２のＤ＋信号を伝送するデータラインとを接続する。また、ＵＳＢコネクタ１７０は、ＳｉｇｎａｌＡ−信号を伝送するデータラインと、ＵＳＢデバイス２のＤ−信号を伝送するデータラインとを接続する。さらに、ＵＳＢコネクタ１７０は、電源ラインと、ＶＢＵＳ信号とを接続する。
【００１８】
なお、ＵＳＢコネクタ１７０からＵＳＢデバイス２までの間のＤ＋信号のデータラインを、ＳｉｇｎａｌＢ＋信号と呼ぶ。また、ＵＳＢコネクタ１７０からＵＳＢデバイス２までの間のＤ−信号のデータラインを、ＳｉｇｎａｌＢ−信号と呼ぶ。
【００１９】
ＵＳＢデバイス２において、Ｄ＋信号のデータラインは、ＶＢＵＳ信号に接続されたプルアップ抵抗２１と接続されている。プルアップ抵抗２１は、例えば１．５キロオームの抵抗値を有している。
【００２０】
ここで、ＵＳＢ規格では、Ｃｈｉｒｐ  ｈａｎｄｓｈａｋｅと呼ばれるプロトコルにより接続された外部デバイスの通信速度を判定することが規定されている。そして、ＵＳＢ規格では、フルスピードモード、またはハイスピードモードに対応しているデバイスはＤ＋信号をＨｉｇｈレベルにし、Ｄ−信号をＬｏｗレベルにすることが規定されている。そして、ＵＳＢデバイス２のＤ＋信号は、ＰＯＳ端末１がＯＮ状態でＵＳＢコネクタ１７０に接続された場合、ＶＢＵＳ信号から電力を供給されたプルアップ抵抗２１によりＨｉｇｈレベルになる。一方、ＵＳＢデバイス２のＤ−信号は、チップセット１４０のプルダウン抵抗１４２によりＬｏｗレベルになる。図１に示すＵＳＢデバイス２は、フルスピードモード、またはハイスピードモードに対応しているデバイスである。
【００２１】
次に、ＰＯＳ端末１とＵＳＢデバイス２との接続動作について説明する。
【００２２】
まず、静電気が印加されず、ＰＯＳ端末１とＵＳＢデバイス２とが正常に接続された場合の回路の動作を説明する。ここで、図２は、本実施形態に係る電子回路基板１０の正常時の接続処理の概要を示すタイミングチャートである。
【００２３】
ＶＢＵＳ信号は、ＰＯＳ端末１の電源がＯＮ状態になった場合に、電源回路１５０から電力の供給を受けるためＨｉｇｈレベルになる。
【００２４】
ＳｉｇｎａｌＢ＋信号は、ＶＢＵＳ信号から電力を供給されたプルアップ抵抗２１の影響によりＨｉｇｈレベルになる。また、ＳｉｇｎａｌＡ＋信号は、ＳｉｇｎａｌＢ＋信号がＨｉｇｈレベルになった事に伴い、Ｈｉｇｈレベルになる。一方、ＳｉｇｎａｌＡ−信号は、プルダウン抵抗１４２によりＬｏｗレベルとなる。また、ＳｉｇｎａｌＢ−信号は、ＳｉｇｎａｌＡ−信号がＬｏｗレベルになった事に伴い、Ｌｏｗレベルになる。
【００２５】
チップセット１４０は、Ｃｈｉｒｐ  ｈａｎｄｓｈａｋｅによりＵＳＢデバイス２の通信速度を判定する。
【００２６】
ＰＯＳ端末１の電源がＯＦＦ状態になった場合に、ＳｉｇｎａｌＡ＋信号及びＳｉｇｎａｌＡ−信号は、プルダウン抵抗１４１及びプルダウン抵抗１４２の影響によりＬｏｗレベルになる。また、ＳｉｇｎａｌＢ＋信号及びＳｉｇｎａｌＢ−信号は、ＳｉｇｎａｌＡ＋信号及びＳｉｇｎａｌＡ−信号がＬｏｗレベルになった事に伴い、Ｌｏｗレベルになる。
【００２７】
再度、ＰＯＳ端末１の電源がＯＮ状態になった場合に、ＶＢＵＳ信号、ＳｉｇｎａｌＢ＋信号、及びＳｉｇｎａｌＡ＋信号は、前回と同様にＨｉｇｈレベルになる。
【００２８】
次に、従来技術において、静電気が印加され、チップセット１４０から電流が流出してしまっている場合の回路の動作を説明する。ここで、図３は、従来技術においてチップセット１４０から電流流出時の接続処理の概要を示すタイミングチャートである。図３に示すタイミングチャートは、電子回路基板１０にアナログスイッチ１６０が無い場合の接続処理の概要を示すタイミングチャートである。
【００２９】
各信号は、静電気が印加される前においては、正常時の接続処理と同様に動作する。
【００３０】
すなわち、ＶＢＵＳ信号は、ＰＯＳ端末１の電源がＯＮ状態になった場合に、電源回路１５０から電力の供給を受けるためＨｉｇｈレベルになる。
【００３１】
ＳｉｇｎａｌＢ＋信号は、ＶＢＵＳ信号から電力を供給されたプルアップ抵抗２１の影響によりＨｉｇｈレベルになる。また、ＳｉｇｎａｌＡ＋信号は、ＳｉｇｎａｌＢ＋信号がＨｉｇｈレベルになった事に伴い、Ｈｉｇｈレベルになる。一方、ＳｉｇｎａｌＡ−信号は、プルダウン抵抗１４２によりＬｏｗレベルとなる。また、ＳｉｇｎａｌＢ−信号は、ＳｉｇｎａｌＡ−信号がＬｏｗレベルになった事に伴い、Ｌｏｗレベルになる。
【００３２】
チップセット１４０は、Ｃｈｉｒｐ  ｈａｎｄｓｈａｋｅによりＵＳＢデバイス２の通信速度を判定する。
【００３３】
チップセット１４０は、静電気放電により静電気が印加されると、電流を流出してしまうことがある。すなわち、チップセット１４０は、ＳｉｇｎａｌＡ＋信号及びＳｉｇｎａｌＡ−信号を、Ｈｉｇｈレベルにしてしまう。また、チップセット１４０は、ＳｉｇｎａｌＢ＋信号及びＳｉｇｎａｌＢ−信号を、Ｈｉｇｈレベルにしてしまう。
【００３４】
ＰＯＳ端末１がＯＦＦ状態になった場合に、ＶＢＵＳ信号は、電源回路１５０から電力が供給されなくなるためＬｏｗレベルになる。ＰＯＳ端末１がＯＦＦ状態となりＶＢＵＳ信号がＬｏｗレベルになっても、チップセット１４０は、電流を流出してしまう。すなわち、ＳｉｇｎａｌＡ＋信号、ＳｉｇｎａｌＡ−信号、ＳｉｇｎａｌＢ＋信号、及びＳｉｇｎａｌＢ−信号は、Ｈｉｇｈレベルを維持する。
【００３５】
その後、ＰＯＳ端末１がＯＮ状態になった場合に、ＶＢＵＳ信号は、電源回路１５０から電力が供給されるためＨｉｇｈレベルになる。ＶＢＵＳ信号がＨｉｇｈレベルになっても、チップセット１４０は、電流を流出してしまう。そのため、ＳｉｇｎａｌＡ＋信号、ＳｉｇｎａｌＡ−信号、ＳｉｇｎａｌＢ＋信号、及びＳｉｇｎａｌＢ−信号は、Ｈｉｇｈレベルを維持する。
【００３６】
よって、チップセット１４０は、Ｄ＋信号及びＤ−信号の両方をＬｏｗレベルにして接続状態を初期化するバスリセット信号を出力することができない。さらに、チップセット１４０及び、ＵＳＢデバイス２は、Ｄ＋信号及びＤ−信号の両方がＨｉｇｈレベルであるため、Ｃｈｉｒｐ  ｈａｎｄｓｈａｋｅにより通信速度の判定を行うことができない。従って、ＰＯＳ端末１とＵＳＢデバイス２とは通信を行うことができない。
【００３７】
次に、本実施形態において、静電気が印加され、チップセット１４０から電流が流出してしまっている場合の回路の動作を説明する。ここで、図４は、本実施形態に係る電子回路基板１０においてチップセット１４０から電流流出時の接続処理の概要を示すタイミングチャートである。図４に示すタイミングチャートは、電子回路基板１０がアナログスイッチ１６０を有している場合の接続処理の概要を示すタイミングチャートである。
【００３８】
アナログスイッチ１６０は、ＰＯＳ端末１の電源がＯＮ状態になった場合に、電源回路１５０から電源信号の入力を受けるため、チップセット１４０とＵＳＢコネクタ１７０とを接続する。すなわち、アナログスイッチ１６０は、ＳｉｇｎａｌＡ＋信号とＳｉｇｎａｌＢ＋信号とを接続する。さらに、アナログスイッチ１６０は、ＳｉｇｎａｌＡ−信号とＳｉｇｎａｌＢ−信号とを接続する。
【００３９】
ＶＢＵＳ信号は、ＰＯＳ端末１の電源がＯＮ状態になった場合に、電源回路１５０から電力の供給を受けるためＨｉｇｈレベルになる。
【００４０】
ＳｉｇｎａｌＢ＋信号は、ＶＢＵＳ信号から電力を供給されたプルアップ抵抗２１の影響によりＨｉｇｈレベルになる。また、ＳｉｇｎａｌＡ＋信号は、チップセット１４０とＵＳＢコネクタ１７０とが接続されているため、ＳｉｇｎａｌＢ＋信号がＨｉｇｈレベルになった事に伴い、Ｈｉｇｈレベルになる。
【００４１】
チップセット１４０に、静電気放電により静電気が印加される。その結果、チップセット１４０は、電流を流出してしまう。すなわち、ＳｉｇｎａｌＡ＋信号及びＳｉｇｎａｌＡ−信号は、Ｈｉｇｈレベルになる。ＳｉｇｎａｌＢ＋信号及びＳｉｇｎａｌＢ−信号は、アナログスイッチ１６０によりＳｉｇｎａｌＡ＋信号及びＳｉｇｎａｌＡ−信号と接続されているため、Ｈｉｇｈレベルになる。
【００４２】
ＶＢＵＳ信号は、ＰＯＳ端末１がＯＦＦ状態になった場合に、電源回路１５０から電力が供給されなくなるためＬｏｗレベルになる。
【００４３】
アナログスイッチ１６０は、電源回路１５０から電源信号の入力がなくなるため、チップセット１４０とＵＳＢコネクタ１７０とを接続を切断する。ＳｉｇｎａｌＡ＋信号、及びＳｉｇｎａｌＡ−信号は、チップセット１４０が電流を流出しているためＨｉｇｈレベルになる。
【００４４】
一方、ＳｉｇｎａｌＢ＋信号、及びＳｉｇｎａｌＢ−信号は、アナログスイッチ１６０によりチップセット１４０から切断されるため、チップセット１４０から電流は流入されない。そして、ＳｉｇｎａｌＢ＋信号、及びＳｉｇｎａｌＢ−信号は、チップセット１４０から流入されていた電流もＵＳＢデバイス２で消費されるため、Ｌｏｗレベルになる。
【００４５】
その後、ＶＢＵＳ信号は、ＰＯＳ端末１がＯＮ状態になった場合に、電源回路１５０から電力が供給されるためＨｉｇｈレベルになる。
【００４６】
アナログスイッチ１６０は、ＰＯＳ端末１の電源がＯＮ状態になった場合に、電源回路１５０から電源信号の入力を受けるため、チップセット１４０とＵＳＢコネクタ１７０とを接続する。すなわち、アナログスイッチ１６０は、ＳｉｇｎａｌＡ＋信号とＳｉｇｎａｌＢ＋信号とを接続する。さらに、アナログスイッチ１６０は、ＳｉｇｎａｌＡ−信号とＳｉｇｎａｌＢ−信号とを接続する。
【００４７】
ＳｉｇｎａｌＡ＋信号は、アナログスイッチ１６０によりチップセット１４０とＵＳＢコネクタ１７０とが接続された場合においても、チップセット１４０から電流が流出しているためＨｉｇｈレベルとなる。ここで、ＳｉｇｎａｌＢ＋信号は、ＶＢＵＳ信号から電力を供給されたプルアップ抵抗２１の影響によりＨｉｇｈレベルになる。ＳｉｇｎａｌＡ＋信号は、ＳｉｇｎａｌＢ＋信号と接続されているため、ＳｉｇｎａｌＢ＋信号がＨｉｇｈレベルになった事に伴い、Ｈｉｇｈレベルになる。すなわち、ＳｉｇｎａｌＡ＋信号は、静電気が印加されたか否かに関わらず、ＶＢＵＳ信号がＨｉｇｈレベルの場合には、Ｈｉｇｈレベルになるため問題ない。
【００４８】
ＳｉｇｎａｌＡ−信号は、アナログスイッチ１６０によりＳｉｇｎａｌＢ−信号と接続された場合に、チップセット１４０から流入していた電流はＵＳＢデバイス２に使用される。また、ＳｉｇｎａｌＢ−信号には、プルアップ抵抗２１の影響もない。その結果、ＳｉｇｎａｌＡ−信号は、Ｌｏｗレベルになる。
【００４９】
従って、電子回路基板１０は、ＶＢＵＳ信号がＬｏｗレベル時には、アナログスイッチ１６０により接続が切断されるため、ＳｉｇｎａｌＢ＋信号及びＳｉｇｎａｌＢ−信号の両方がＬｏｗレベルとなりバスリセット信号を出力することができる。さらに、ＰＯＳ端末１及びＵＳＢデバイス２は、ＶＢＵＳ信号がＨｉｇｈレベル時には、ＳｉｇｎａｌＢ＋信号がＨｉｇｈレベルとなり、ＳｉｇｎａｌＢ−信号がＬｏｗレベルとなるため、Ｃｈｉｒｐ  ｈａｎｄｓｈａｋｅにより通信速度の判定を行うことができる。すなわち、ＰＯＳ端末１及びＵＳＢデバイス２は、フルスピードモード、またはハイスピードモードに対応している装置であると判定することができる。よって、ＰＯＳ端末１及びＵＳＢデバイス２は、静電気放電により静電気が印加された場合であっても、ＵＳＢによる通信を行うことができる。
【００５０】
以上のように、電子回路基板１０によれば、アナログスイッチ１６０は、チップセット１４０とＵＳＢコネクタ１７０との接続を切断する。この場合に、図４に示すタイミングチャートで示すように、ＳｉｇｎａｌＢ＋信号はＨｉｇｈレベルとなり、ＳｉｇｎａｌＢ−信号はＬｏｗレベルとなる。従って、電子回路基板１０は、静電気放電による通信障害から復旧させることができる。
【００５１】
さらに、アナログスイッチ１６０は、電源回路１５０からの電源信号に基づいて、チップセット１４０とＵＳＢコネクタ１７０との接続を切断する。すなわち、アナログスイッチ１６０は、ＰＯＳ端末１が停止した場合、つまりＰＯＳ端末１がシャットダウンされた場合や再起動された場合に、チップセット１４０とＵＳＢコネクタ１７０との接続を切断する。従って、ユーザは、ＰＯＳ端末１をシャットダウンさせる操作や、ＰＯＳ端末１を再起動させる操作により、静電気放電による通信障害から復旧させることができる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１  ＰＯＳ端末
２  ＵＳＢデバイス
１０  電子回路基板
２１  プルアップ抵抗
１４０  チップセット
１５０  電源回路
１６０  アナログスイッチ
１７０  ＵＳＢコネクタ
１１０  ＣＰＵ
１２０  ＲＯＭ
１３０  ＲＡＭ
１４１、１４２  プルダウン抵抗
【先行技術文献】
【特許文献】
【００５４】
【特許文献１】特開２００１−３０６４１３号公報
【図１】
2019040446.tif 000003
【図２】
2019040446.tif 000004
【図３】
2019040446.tif 000005
【図４】
2019040446.tif 000006